(57)【要約】      （修正有）【課題】異なる無線方式を利用する通信装置において、異なる無線方式の復調処理を同一の回路で実現し、回路の共有化を可能とするスペクトラム拡散通信の逆拡散装置を提供する。【解決手段】スペクトラム拡散通信の逆拡散装置１３は、２以上の異なる符号方式の拡散符号のいずれかを出力可能な符号発生手段２０−１〜２０−Ｎと、符号発生手段から出力される拡散符号と受信信号との相関値２７−１〜２７−Ｎを生成する相関手段２１−１〜２１−Ｎと、を含み、相関値を出力する逆拡散手段を有している。【選択図】図２
2013005387.tif 000002
【特許請求の範囲】
【請求項１】
２以上の異なる符号方式の拡散符号のいずれかを出力可能な符号発生手段と、
前記符号発生手段から出力される拡散符号と受信信号との相関値を生成する相関手段と、
を含み前記相関値を出力する逆拡散手段を有していることを特徴とする
スペクトラム拡散通信の逆拡散装置。
【請求項２】
前記符号方式はＣＣＫ符号とバーカー符号を含むことを特徴とする請求項１に記載のスペクトラム拡散通信の逆拡散装置。
【請求項３】
前記符号方式は更にＣＣＫ符号とバーカー符号以外の符号を含むことを特徴とする請求項２に記載のスペクトラム拡散通信の逆拡散装置。
【請求項４】
複数の伝送経路の各々について設けられた、請求項１乃至請求項３のいずれかに記載された逆拡散装置と、
前記伝送経路各々のチャネル推定を行いレイク合成の重み係数を出力するチャネル推定手段と、
前記相関値の各々に、該相関値に対応する前記伝送経路についての前記重み係数を乗じ重み相関値として出力する乗算手段と、
前記伝送経路各々についての前記重み相関値を加算するレイク合成手段と
を備えていることを特徴とするスペクトラム拡散通信のレイク受信装置。
【請求項５】
請求項１乃至請求項３のいずれかに記載の逆拡散装置を含み、
前記逆拡散装置に受信信号を入力する無線受信手段と、
前記逆拡散装置からの出力信号が入力される復調手段と、
を備えることを特徴とするスペクトラム拡散通信受信器。
【請求項６】
請求項４に記載のレイク受信装置を含み、
前記レイク受信装置に受信信号を入力する無線受信手段と、
前記レイク受信装置からの出力信号が入力される復調手段と、
を備えることを特徴とするスペクトラム拡散通信受信器。
【請求項７】
２以上の異なる符号方式の拡散符号のいずれかを出力し、
前記出力された拡散符号と受信信号との相関値を生成し、
前記相関値を出力する、
ことを特徴とする
スペクトラム拡散通信の逆拡散方法。
【請求項８】
前記符号方式はＣＣＫ符号とバーカー符号を含むことを特徴とする請求項７に記載のスペクトラム拡散通信の逆拡散方法。
【請求項９】
前記符号方式は更にＣＣＫ符号とバーカー符号以外の符号を含むことを特徴とする請求項８に記載のスペクトラム拡散通信の逆拡散方法。
【請求項１０】
複数の伝送経路の各々について、請求項７乃至請求項９のいずれかに記載された逆拡散方法で逆拡散して相関値を出力し、
前記伝送経路各々のチャネル推定を行いレイク合成の重み係数を出力し、
前記相関値の各々に、該相関値に対応する前記伝送経路についての前記重み係数を乗じ重み相関値として出力し、
前記伝送経路各々についての前記重み相関値を加算してレイク合成する
ことを特徴とするスペクトラム拡散通信受信のレイク受信方法。
【発明の詳細な説明】
【技術分野】
【０００１】
本発明は、直接スペクトラム拡散された信号の復調装置に関し、特にＣＣＫ（Ｃｏｍｐｌｅｍｅｎｔａｒｙ  Ｃｏｄｅ  Ｋｅｙｉｎｇ）信号を復調可能なスペクトラム拡散通信の逆拡散装置に関する。
【背景技術】
【０００２】
近年、無線通信の分野においては、異なる無線方式で通信可能な装置の開発が為されている。例えば、第３世代携帯電話システム（３Ｇシステム）とＩＥＥＥ８０２．１１に代表される無線ＬＡＮの両方に対応可能な携帯端末装置の例がある。なお、３Ｇとは３ｒｄ．  Ｇｅｎｅｒａｔｉｏｎの略である。またＩＥＥＥはＴｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓの略である。また、無線ＬＡＮとは無線Ｌｏｃａｌ  Ａｒｅａ  Ｎｅｔｗｏｒｋの略である。
【０００３】
３Ｇシステムでは複数の符号によるＤＳＳＳで信号の多重化を行うＣＤＭＡ（Ｃｏｄｅ  Ｄｉｖｉｓｉｏｎ  Ｍｕｌｔｉｐｌｅ  Ａｃｃｅｓｓ）という変調方式が用いられている。このＣＤＭＡについては、例えば特許文献１にその復調手段の一つであるレイク受信器が開示されている。
【０００４】
また、ＩＥＥＥ８０２．１１ｂでは直接シーケンススペクトラム拡散（ＤＳＳＳ：Ｄｉｒｅｃｔ  Ｓｅｑｕｅｎｃｅ  Ｓｐｒｅａｄ  Ｓｐｅｃｔｒｕｍ）変調方式と、ＤＳＳＳを元にした、ＣＣＫ（Ｃｏｍｐｌｅｍｅｎｔａｒｙ  Ｃｏｄｅ  Ｋｅｙｉｎｇ）という変調方式を用いられている。このＣＣＫについては例えば特許文献２に開示されている。
【０００５】
これら異なる無線規格の信号を一つの通信装置で処理する為には、その通信装置がこれら異なる無線規格それぞれの両方に対応している必要がある。例えば、特許文献３には複数の無線規格のそれぞれ両方に対応した通信部を一つの通信装置の中に別個に備え、通信に使用している無線規格に応じて他の無線規格への切り替えが可能な端末装置が開示されている。
【０００６】
この特許文献３の例では複数の無線規格として、Ｗ−ＣＤＭＡと無線ＬＡＮの２つの規格が用いられている。なお、Ｗ−ＣＤＭＡとはＷｉｄｅｂａｎｄ  Ｃｏｄｅ  Ｄｉｖｉｓｉｏｎ  Ｍｕｌｔｉｐｌｅ  Ａｃｃｅｓｓの略である。そこで、以下にＷ−ＣＤＭＡ規格で用いられているＣＤＭＡの復調処理と、無線ＬＡＮ規格で用いられているＣＣＫの復調処理について説明する。
【０００７】
関連する技術であるＣＤＭＡの逆拡散部１１０の構成を図７に示す。
【０００８】
符号発生部１１１は送信側で用いられる拡散符号と同じ拡散符号を発生し、相関部１１２に出力する。相関部１１２は入力された受信信号と拡散符号の相関値を生成し、相関値１１３として出力する。
【０００９】
逆拡散部１１０の、特に相関部１１２−１〜１１２−Ｍについて詳細に説明する。受信信号として異なる複数の拡散符号（Ｍ個とする）で多重化された信号が相関部１１２−１に入力される。符号発生部１１１−１ではＭ個の拡散符号のうち、１番目の拡散符号を発生させ、相関部１１２−１に出力する。
【００１０】
相関部１１２−１は受信信号を１番目の拡散符号で逆拡散し、相関値１１３−１を生成する。また、相関部１１２−２では、符号発生部１１１−２から与えられたＭ個の拡散符号のうちの２番目の拡散符号を用いて、相関値１１３−２を生成する。同様にして、相関部１１２−Ｍでは符号発生部１１１−Ｍから与えられたＭ番目の拡散符号を用いて、相関値１１３−Ｍを生成する。このようにして全Ｍ個の相関値１１３から、多重化される前のＭ個の送信信号を復調した信号が得られる。
【００１１】
次に、関連する技術である高速ウォルシュ変換（ＦＷＴ：Ｆａｓｔ  Ｗａｌｓｈ  Ｔｒａｎｓｆｏｒｍ）を用いたＣＣＫ復調部について説明する。予備知識として、８０２．１１ｂにおけるＣＣＫ変調方式とその復調方法の概略について説明する。
【００１２】
８０２．１１ｂにおけるＣＣＫ変調は、変調前の信号の８ビット（先頭からｄ０，ｄ１，・・・，ｄ７とする）を２ビットずつの４組に分け、［ｄ０，ｄ１］をＤＱＰＳＫ(Differential Quadrature Phase Shift Keying)の信号点配置にマッピングし、［ｄ２，ｄ３］、［ｄ４，ｄ５］、［ｄ６，ｄ７］をＱＰＳＫの信号点配置にマッピングする。それぞれが配置された信号点の位相をφ１、φ２、φ３、φ４とすると、ＣＣＫ変調は、ｄ０，ｄ１，・・・，ｄ７の信号をφ１、φ２、φ３、φ４を用いた下記の式（１）のＣＣＫコードワードで変調するものである。
【００１３】
2013005387.tif 000003
・・・式（１）
ここで、式（１）から
2013005387.tif 000004
【００１４】
を括りだして変形すると、
【００１５】
2013005387.tif 000005
・・・式（２）
となる。
【００１６】
高速ウォルシュ変換（ＦＷＴ：Ｆａｓｔ  Ｗａｌｓｈ  Ｔｒａｎｓｆｏｒｍ）を用いたＣＣＫ復調部の構成を図８に示す。ＦＷＴ演算器１２０は高速ウォルシュ変換によって受信信号と６４種類のＣＣＫコードワードとの相関値を生成するものである。
【００１７】
まず受信信号はシリアル／パラレル（Ｓ／Ｐ）変換部１２１にシリアルに入力される。その後Ｓ／Ｐ変換部１２１にてシリアルの受信信号がパラレルに並び替えられてベーシック高速ウォルシュ変換ブロック（ＢＦＷＢ：Ｂａｓｉｃ  Ｆａｓｔ  Ｗａｌｓｈ  ｔｒａｎｓｆｏｒｍ  Ｂｌｏｃｋ）であるＢＦＷＢ１２２−１〜１２２−４に入力される。
【００１８】
ＢＦＷＢ１２２−１〜１２２−４はＳ／Ｐ変換部１２１から入力されたパラレル信号から高速ウォルシュ変換によって相関値ψ１〜ψ６４を生成する。その後ＢＦＷＢ１２２−１〜４からの相関値ψ１〜ψ６４が最大値探索部１２３に入力され、最大値探索部１２３ではその中から最大の値を持つ相関値を選択し、その最大相関値ψ’を出力する。同時に、最大相関値ψ’を生成させたＣＣＫコードワードの位相成分φ２、φ３、φ４（後述）も出力する。
【００１９】
ＦＷＴ演算部１２０の、特にＢＦＷＢ１２２−１〜１２２−４の動作について更に詳細に説明する。ＦＷＴ演算部１２０に入力された受信信号は、Ｓ／Ｐ変換部１２１にて８チップ単位でパラレル信号に並び替えられ、ＢＦＷＢ１２２−１〜４に入力される。
【００２０】
各ＢＦＷＢ１２２−１〜４では、ＣＣＫコードワード生成に用いられる、それぞれ４種類の回転量（０、π／２、π、３π／２）をもつ、３つの位相成分（φ２、φ３、φ４）を用いて、次のようにして相関値を生成する。即ちＢＦＷＢ１２２−１では、φ２＝０に固定し、φ３、φ４それぞれについて、４×４＝１６種類の相関値を生成する。同様に、ＢＦＷＢ１２２−２では、φ２＝π／２に固定し、ＢＦＷＢ１２２−３では、φ２＝πに固定し、ＢＦＷＢ１２２−４ではφ２＝３π／２に固定し、それぞれ１６種類の相関値を生成する。このようにして、受信信号と１６×４＝６４種類のＣＣＫコードワードとの相関値ψ１〜ψ６４を生成する。
【００２１】
最大値探索部１２３は、最も相関の高いＣＣＫコードワードを選択する。従って相関値ψ１〜ψ６４の中から、最大の相関値ψ’を選択し、出力する。同時に、ψ’を生成させた位相成分φ２、φ３、φ４を出力する。
【００２２】
この様にして得たφ２、φ３、φ４を元に式（２）に基づきＣを逆拡散することによりφ１を求めることができる。φ１はＤＱＰＳＫ信号であるので一般的なＤＱＰＳＫ信号の復調法によって信号を復号することができる。
【先行技術文献】
【特許文献】
【００２３】
【特許文献１】特開２００１−２２３６１１号公報
【特許文献２】特開２００６−２１７０２４号公報
【特許文献３】特開２００５−１３６５５３号公報
【発明の概要】
【発明が解決しようとする課題】
【００２４】
しかし、特許文献１及び特許文献２の技術ではそれぞれＣＤＭＡ又はＣＣＫの復調処理を単独で備えるものであり、何れかの単独の処理しか行えないものである。また、特許文献３の技術ではＷＣＤＭＡの処理部と無線ＬＡＮの処理部との両方を備えてはいるが、これら異なる無線規格の通信処理部をそれぞれ独立に２つに備えているに過ぎない。
【００２５】
従って、特許技術３の技術では回路規模が増大するという問題がある。また、一方の無線規格を使用している間は他方の無線規格の通信部は使用しないので、回路の利用効率が悪いという問題もある。
【００２６】
本発明は、異なる無線方式を利用する通信装置において、異なる無線方式の復調処理を同一の回路で実現し、回路の共有化を可能とするスペクトラム拡散通信の逆拡散装置を提供することを目的とする。
【課題を解決するための手段】
【００２７】
本発明のスペクトラム拡散通信の逆拡散装置は、２以上の異なる符号方式の拡散符号のいずれかを出力可能な符号発生手段と、前記符号発生手段から出力される拡散符号と受信信号との相関値を生成する相関手段と、を含み前記相関値を出力する逆拡散手段を有していることを特徴とする。
【００２８】
本発明のスペクトラム拡散通信の逆拡散方法は、２以上の異なる符号方式の拡散符号のいずれかを出力し、前記出力された拡散符号と受信信号との相関値を生成し、
前記相関値を出力する、ことを特徴とすることを特徴とする。
【発明の効果】
【００２９】
上記のような構成をとることにより、本発明は、異なる無線方式を利用する通信装置において、異なる無線方式の復調処理を同一の回路で実現し、回路の共有化を可能とするスペクトラム拡散通信の逆拡散装置を提供することができる。
【図面の簡単な説明】
【００３０】
【図１】本発明の第１の実施形態におけるスペクトラム拡散通信受信器の構成例を示すブロック図である。
【図２】本発明の第１の実施形態におけるスペクトラム拡散通信の逆拡散装置の逆拡散部の構成例を示すブロック図である。
【図３】本発明の第１の実施形態におけるスペクトラム拡散通信の逆拡散装置の複数符号発生器の構成例を示すブロック図である。
【図４】本発明の第２の実施形態におけるスペクトラム拡散通信受信器の構成例を示すブロック図である。
【図５】本発明の第２の実施形態におけるスペクトラム拡散通信のレイク受信部の構成例を示すブロック図である。
【図６】８０２．１１ｂ方式におけるＣＣＫ変調された信号を逆拡散するための符号一覧表である。
【図７】関連する技術であるＣＤＭＡ復調における、逆拡散器の構成を示す図である。
【図８】関連する技術であるＣＣＫ復調における、ＦＷＴ演算器の構成を示す図である。
【図９】第３の実施形態のスペクトラム拡散通信の逆拡散装置の構成を示す図である。
【発明を実施するための形態】
【００３１】
（第１の実施形態）
まず本実施形態に於けるＣＣＫ信号の復調方法の概略について説明する。
【００３２】
先に求めたＣＣＫ信号の式（２）を調べてみると、ＣＣＫ変調された信号Ｃは、
2013005387.tif 000006
【００３３】
を被拡散シンボルとみなし、
【００３４】
2013005387.tif 000007
・・・式（３）
を、拡散符号（以下ＣＣＫ符号）とみなした、ＤＳＳＳ変調の一種であることがわかる。
【００３５】
すなわち、受信側において、受信した信号Ｃを適切なＣＣＫ符号で逆拡散することで被拡散シンボル
2013005387.tif 000008
【００３６】
を復調できることが分かる。
【００３７】
そこで、受信側では復調のために、まず受信信号を図６のＣＣＫ符号全てを用いて逆拡散をおこない相関値を求めることにする。図６は前記ｄ２，・・・，ｄ７の組み合わせそれぞれに対応するＣＣＫ符号の一覧表である。この図６でｃ０，ｃ１，・・・，ｃ７は各ＣＣＫ符号のチップを表している（先頭からｃ０，ｃ１，・・・，ｃ７）。
【００３８】
その後それぞれの相関値のうち、最大の相関値を持ったものを、送信された信号と判定し、逆拡散された信号として選択する。また、選択された最大相関値から、それを生成させたＣＣＫ符号に対応する変調前の信号（図６におけるｄ２，・・・，ｄ７）を生成する。
【００３９】
以下、図を用いて第１の実施形態のスペクトラム拡散通信システムの構成を説明する。
【００４０】
図１は、第１の実施形態による受信装置１０の構成を示す図である。受信装置１０は、送信された無線信号を受信し、無線受信部に受信信号を入力する無線受信用アンテナ１１、受信された信号をベースバンド信号に変換して出力する無線受信部１２を有する。更に受信装置１０は、受信信号をＣＣＫあるいはＤＳＳＳに応じた拡散符号を用いて逆拡散する逆拡散部１３、位相シフト変調を復調する復調部１４を有する。
【００４１】
図２は図１における逆拡散部１３の構成例を示している。逆拡散部１３は、複数の拡散符号のうちの１つを発生して相関部２１にその発生した拡散符号を出力する複数符号発生器２０、受信信号と与えられた拡散符号との相関演算を行い、相関値２７を出力する相関部２１を有している。更に、逆拡散部１３は、相関値２７の中から最大の値を持つ相関値を探索し、最大の相関値２８と、最大値の番号を示すピーク位置信号２９を出力する最大値探索部２２、ピーク位置信号２９を用いて複数符号発生部２０のタイミングを調整する位相制御部２３を有している。更に、逆拡散部１３は、相関値２７を復調部１４へ出力するか出力しないかを切り替える第１スイッチ部２５、最大相関値２８とピーク位置信号２９を復調部１４へ出力するか出力しないかを切り替える第２スイッチ部２６を有している。更に、逆拡散部１３は、第１スイッチ部２５と第２スイッチ部２６の切り替え制御を行う出力選択部２４を有している。
【００４２】
図３は図２に於ける複数符号発生器２０の構成例を示す。複数符号発生器２０は、複数の拡散符号発生器３０−１〜３０−３と符号選択部３１を含む。符号選択部３１は、拡散符号発生器３０−１〜３０−３のうちの何れの出力を相関部２１に出力するかを選択する。また位相制御部２３からの制御信号に基づき拡散符号発生器３０−１〜３０−３からの拡散符号の位相を遅延させる機能も有する。
【００４３】
例えば、図３に於ける第１拡散符号発生器は３０−１は８０２．１１ｂ方式のバーカー符号発生器、第２拡散符号発生器３０−２は８０２．１１ｂ方式のＣＣＫ符号発生器である。更に第３拡散符号発生器３０−３はＷ−ＣＤＭＡ方式の拡散符号発生器である。
（動作の説明）
次に、第１の実施形態の動作を図２の逆拡散部の構成例を示すブロック図、及び図３の複数符号発生器の構成例を示すブロック図を用いて説明する。
【００４４】
まず、図２に示す逆拡散部１３において、Ｗ−ＣＤＭＡの信号を逆拡散する場合の詳細について説明する。
【００４５】
図２に於いて逆拡散部１３に入力された受信信号は相関部２１−１〜２１−Ｎに入力される。位相制御部２３は複数符号発生部２０−１〜２０−Ｎから発生する拡散符号の位相を１シンボルずつずらして逆拡散を行うようにタイミング制御を行う。
【００４６】
符号選択部３１はＷ−ＣＤＭＡ方式の拡散符号発生器である第３拡散符号発生器３０−３からの出力を選択するように切り替える。複数符号発生部２０−１〜２０−Ｎは位相制御部２３から与えられたタイミングで同期に用いる拡散符号を相関部２１−１〜２１−Ｎに出力する。
【００４７】
相関部２１−１〜Ｎは受信信号を同期用の拡散符号で逆拡散を行い、相関値２７−１〜２７−Ｎを出力する。それぞれ位相をずらして逆拡散された相関値２７−１〜Ｎは最大値探索部２２に入力され、最大値探索部２２は最大相関値２８とピーク位置信号２９を出力する。
【００４８】
なおこの同期動作の間は、出力選択部２４は相関値２７−１〜Ｎと最大相関値２８とピーク位置信号２９を後段の復調部１４には出力しないように第１スイッチ部２５と第２スイッチ部２６を制御する。
【００４９】
この様にして得られたピーク位置信号２９は逆拡散の正しいタイミングであるとして位相制御部２３に入力され、以降の逆拡散はこのタイミングで行う。この様にして同期動作が完了する。
【００５０】
同期が完了すると、位相制御部２３は上記で得られたタイミングに従って複数符号発生部２０−１〜Ｎから発生する拡散符号の位相を遅延させて受信信号と同期させるよう制御する。複数符号発生部２０−１はＷ−ＣＤＭＡ方式による符号多重に用いられたＮ個の拡散符号のうちで１番目と定めた拡散符号を相関部２１に出力する。相関部２１−１は、受信信号と１番目の拡散符号との相関値２７−１を生成する。
【００５１】
同様に、複数符号発生部２０−２は全Ｎ個のうちの２番目の拡散符号を相関部２１−２に出力し、相関部２１−２は相関値２７−２を生成する。更に、複数符号発生部２０−Ｎでは全Ｎ個のうちのＮ番目の拡散符号を相関部２１−Ｎに出力し、相関部２１−Ｎは相関値２７−Ｎを生成する。
【００５２】
出力選択部２４は第１スイッチ部２５−１〜２５−Ｎを相関値２７−１〜２７−Ｎを復調部に出力するように切り替える一方、最大値探索部２２の出力を復調部１４に出力しないよう第２スイッチ部２６−１〜２６−２を切り換える。このようにしてＷ−ＣＤＭＡ信号の逆拡散処理を行う。
【００５３】
次に、Ｗ−ＣＤＭＡ信号を逆拡散を行ったものと同じ図１及び図２の逆拡散部１３において８０２．１１ｂのＣＣＫ信号を逆拡散する場合の詳細について説明する。
【００５４】
逆拡散部１３に入力された受信信号は相関部２１−１〜２１−Ｎに入力される。位相制御部２３は複数符号発生部２０−１〜２０−Ｎが位相を１シンボルずつずらして逆拡散を行うようにタイミング制御を行う。
【００５５】
符号選択部３１は受信信号との同期を取る為にバーカー符号を発生する第１拡散符号発生器３０−１からの出力を選択するように切り替える。複数符号発生部２０−１〜２０−Ｎは位相制御部２３から与えられたタイミングで同期に用いるバーカー符号を相関部２１−１〜２１−Ｎに出力する。
【００５６】
相関部２１−１〜２１−Ｎは受信信号をバーカー符号で逆拡散を行い、相関値２７を出力する。それぞれ位相をずらして逆拡散された相関値２７は最大値探索部２２に入力され、最大値探索部２２は最大相関値２８とピーク位置信号２９を出力する。
【００５７】
なおこの同期動作の間、出力選択部２４は相関値２７と最大相関値２８とピーク位置信号２９を後段の復調部には出力しないように第１スイッチ部２５と第２スイッチ部２６を制御する。
【００５８】
この様にして得られたピーク位置信号２９は逆拡散の正しいタイミングであるとして位相制御部２３に入力され、以降の逆拡散はこのタイミングで行う。この様にして同期動作が完了する。
【００５９】
同期が完了すると、逆拡散部１３はＮ個の相関部のうち、６４個（Ｎ≧６４とする）の相関部２１を用いて、６４個のＣＣＫ符号で受信信号の逆拡散を行う。符号選択部３１はＣＣＫ符号発生を行う第２拡散符号発生器３０−２からの出力を選択するように切り替える。
【００６０】
複数符号発生部２０−１は全６４個のうちの１番目と定めたＣＣＫ符号を相関部２１−１に出力し、相関部２１−１は相関値２７−１を生成する。例えば本実施形態では図６のＣＣＫ符号の一覧表の最初の符号（ｃ０，ｃ１，・・・，ｃ７＝０）を１番目のＣＣＫ符号とすることができる。符号発生部２０−２は２番目のＣＣＫ符号を相関部２１−２に出力し、相関部２１−２は相関値２７−２を生成する。同様にして、符号発生部２２−６４は６４番目のＣＣＫ符号を相関部２１−６４に出力し、相関部２１−６４は相関値２４−６４を生成する。最大値探索部２２は、相関値２７−１〜２７−６４の中から最大の相関値を選択して、最大相関値２８を出力する。また、ピーク信号値２９を出力する。
【００６１】
出力選択部２４は相関値２７−１〜２７−Ｎを復調部に出力しないように第１スイッチ部２５−１〜２５−Ｎを切り替える一方、最大値探索部２２の出力を復調部に出力するよう第２スイッチ部２６−１〜２６−２を切り換える。この様にしてＣＣＫ信号の復調処理を行う。
（効果の説明）
以上説明したように、本実施形態においては、複数符号生成部２０と相関部２１はそれぞれ異なる符号を用いる無線方式に対して、同期時には同期用符号を用いた相関演算処理を、逆拡散時には拡散符号を用いた逆拡散処理を切り替えられるという構成を有している。
【００６２】
また、最大値探索部は同期時には同期用符号の相関値ピーク位置の検出処理を、ＣＣＫ受信時には複数の拡散符号による相関値から最も相関度の高い符号の選択処理を切り替えられるという構成を有している。従ってＷ−ＣＤＭＡと８０２．１１ｂのような異なる無線方式に対して、同一の構成で逆拡散が可能となるため、ＣＤＭＡとＣＣＫの逆拡散処理を同一の回路で実現できる。
【００６３】
つまり、上記のような構成をとることにより、本実施形態では、異なる無線方式を利用する通信装置において、異なる無線方式の復調処理を同一の回路で実現し、回路の共有化を可能とするスペクトラム拡散通信受信器を提供することができる。
（第２の実施形態）
次に、本発明を実施するための第２の実施形態について説明する。
【００６４】
図４はレイク受信を行う受信装置６０の構成例を示す。レイク受信とはマルチパス等による複数の経路の受信信号（マルチパス波）のそれぞれについて逆拡散した後に合成することにより受信特性を改善する技術である。
【００６５】
受信装置６０は、無線受信部に受信信号を入力する無線受信用アンテナ１１、受信された信号をベースバンド信号に変換して出力する前記無線受信部１２を有している。更に受信装置６０は、受信信号からそれぞれのパスの信号成分を別々にＣＣＫあるいはＤＳＳＳに応じた拡散符号を用いて逆拡散し、位相・時間をそろえて合成するレイク受信部６３、位相シフト変調を復調する復調部１４を有している。
【００６６】
図５は図４におけるレイク受信部６３の構成例を示す。レイク受信部６３は遅延情報８１−１〜８１−Ｎに従いそれぞれのパスにおける受信信号を逆拡散する逆拡散部７１−１〜７１−２を有する。更にレイク受信部６３は、逆拡散部７１−１〜７１−２から出力された各パスの逆拡散信号を遅延情報８１−１〜８１−Ｎに従い位相を揃えて合成し、出力するレイク合成部Ａ７２−１〜７２−Ｎ、レイク合成部Ｂ７５−１〜７５−２を含む。
【００６７】
逆拡散部７１−１〜７１−２は、複数の拡散符号のうち１つを選択して発生させる複数符号発生器２０−１〜２０−Ｎ、複数符号発生器から与えられた拡散符号で受信信号を逆拡散し相関値８１−１〜８１−Ｎを生成する前記相関器２１−１〜２１−Ｎを有する。更に、逆拡散部７１−１〜７１−２は、チャネル推定により、レイク合成のための重み係数８２を生成するチャネル推定部７３、重み係数８２を相関値８１に乗算し、重み付き相関値８３を生成する乗算器７４−１〜７４−Ｎを有する。
【００６８】
更に、逆拡散部７１−１〜７１−２は、重み付き相関値８３−１〜８３−Ｎのうち、最大の値を持つ相関値を探索し、最大の相関値８４と、最大値の番号を示すピーク位置信号８５を出力する最大値探索部２２を有する。更に逆拡散部７１−１〜７１−２は、ピーク位置信号８５を用いて複数符号発生部２０−１〜２０−Ｎのタイミングを調整する位相制御部２３、相関値８３−１〜８３−Ｎの接続先を復調部へ出力するか出力しないかを切り替える第１スイッチ部２５−１〜２５−Ｎを有する。更に逆拡散部７１−１〜７１−２は、最大相関値２８とピーク位置信号２９を復調部１４へ出力するか出力しないかを切り替える第２スイッチ部２６−１〜２６−２、第１スイッチ部２５−１〜２５−Ｎと第２スイッチ部２６−１〜２６−２の切り替え制御を行う出力選択部２４を含む。
（動作の説明）
次に第２の実施形態の動作を図５を用いて説明する。
【００６９】
まず、レイク受信部６３において、Ｗ−ＣＤＭＡの信号を逆拡散する場合の詳細について説明する。
【００７０】
レイク受信部６３に入力された受信信号は逆拡散部７１−１〜７１−２に入力される。逆拡散部７１−１では第１のパスにおける逆拡散を行い、逆拡散部７１−２では第２のパスにおける逆拡散が行われる。逆拡散部７１−１〜７１−２に入力された受信信号は相関部２１に入力される。
【００７１】
位相制御部２３は複数符号発生部２０−１〜２０−Ｎから発生する拡散符号の位相を１シンボルずつずらして逆拡散を行うようにタイミング制御を行う。符号選択部３１はＷ−ＣＤＭＡ方式の拡散符号を発生する第３拡散符号発生器３０−３からの出力を選択するように切り替える。複数符号発生部２０−１〜２０−Ｎは位相制御部２３から与えられたタイミングで同期に用いる拡散符号を相関部２１−１〜２１−Ｎに出力する。
【００７２】
相関部２１−１〜２１−Ｎは受信信号を同期用の拡散符号で逆拡散を行い、相関値２７−１〜２７−Ｎを出力する。この同期動作の間はチャネル推定部７３はチャネル推定と重み付け係数８２の生成を行わない。従って乗算器７４−１〜７４−Ｎへの入力である重み付け係数８２の値は１である。
【００７３】
また、この同期動作の間は、出力選択部２４は相関値８３−１〜８３−Ｎと最大相関値８５とピーク位置信号８６を出力しないように第１スイッチ部２５−１〜２５−Ｎ及び第２スイッチ部２６−１〜２６−２を制御する。
【００７４】
それぞれ位相をずらして逆拡散された相関値８１−１〜８１−Ｎは最大値探索部２２に入力され、最大値探索部２２は最大相関値８５とピーク位置信号８６を出力する。この様にして得られたピーク位置信号８６は逆拡散の正しいタイミングであるとして位相制御部２３に入力され、以降の逆拡散はこのタイミングで行う。この様にして同期動作が完了する。
【００７５】
同期が完了すると、位相制御部２３は同期されたタイミングに従って複数符号発生部２０−１〜２０−Ｎの位相を制御する。複数符号発生部２０−１は拡散符号のうち、１番目の拡散符号を相関部２１に出力する。相関部２１−１は、受信信号と１番目の拡散符号との相関値８１−１を生成する。同様に複数符号発生部２０−２は２番目の拡散符号を相関部２１−２に出力し、相関部２１−２は２番目の相関値８１−２を生成する。更に同様に複数符号発生部２０−ＮはＮ番目の拡散符号を相関部２１−Ｎに出力し、相関部２１−ＮはＮ番目の相関値２７−Ｎを生成する。
【００７６】
出力選択部２４は第１スイッチ部２５−１〜２５−Ｎをレイク合成部Ａ７２−１〜７２−Ｎに出力し、第１のパスと第２のパスとのレイク合成処理を行う。その一方、第２スイッチ部２６−１〜２６−２をレイク合成部Ｂ７５−１〜７５−２に出力しないように切り替える。この様にして、Ｗ−ＣＤＭＡの信号を逆拡散処理及びレイク受信処理を行う。
【００７７】
次に、第２の実施形態による８０２．１１ｂの信号を逆拡散する場合の詳細について説明する。
レイク受信部６３に入力された受信信号は逆拡散部７１−１〜７１−２に入力される。逆拡散部７１−１では第１のパスにおける逆拡散を行い、逆拡散部７１−２では第２のパスにおける逆拡散が行われる。
【００７８】
逆拡散部７１−１〜７１−２に入力された受信信号は相関部２１−１〜２１−Ｎに入力される。位相制御部２３は複数符号発生部２０−１〜２０−Ｎから発生する拡散符号の位相を１シンボルずつずらして逆拡散を行うようにタイミング制御を行う。符号選択部３１は受信信号との同期を取る為にバーカー符号を発生する第１拡散符号発生器３０−１からの出力を選択するように切り替える。
【００７９】
複数符号発生部２０は位相制御部２３から与えられたタイミングで同期に用いる拡散符号を相関部２１−１〜２１−Ｎに対して出力する。相関部２１−１〜２１−Ｎは受信信号をバーカー符号で逆拡散を行い、相関値８１−１〜８１−Ｎを出力する。
【００８０】
この同期動作の間は、チャネル推定部７３はチャネル推定と重み付け係数８２の生成を行わない。従って乗算器７４−１〜７４−Ｎへの入力である重み付け係数８２の値は１である。また、この同期動作の間、出力選択部２４は相関値２７と最大相関値８５とピーク位置信号８６を出力しないように第１スイッチ部２５と第２スイッチ部２６を制御する。
【００８１】
それぞれ位相をずらして逆拡散された相関値８１−１〜８１−Ｎは最大値探索部２２に入力され、最大値探索部２２は最大相関値８５とピーク位置信号８６を出力する。この様にして得られたピーク位置信号８６は逆拡散の正しいタイミングであるとして位相制御部２３に入力され、以降の逆拡散はこのタイミングで行う。この様にして同期動作が完了する。
【００８２】
同期が完了すると、逆拡散部７１はＮ個の相関部のうち、６４個  （Ｎ≧６４とする）  の相関部２１を用いて、６４個のＣＣＫ符号で受信信号の逆拡散を行う。符号選択部３１はＣＣＫ符号発生を行う第２拡散符号発生器３０−２からの出力を選択するように切り替える。
【００８３】
複数符号発生部２０−１は１番目のＣＣＫ符号を相関部２１−１に出力し、相関部２１−１は相関値８１−１を生成する。同様に符号発生部２０−２は２番目のＣＣＫ符号を相関部２１−２に出力し、相関部２１−２は相関値８１−２を生成する。
【００８４】
更に同様に、符号発生部２２−６４は６４番目のＣＣＫ符号を相関部２１−６４に出力し、相関部２１−６４は相関値８１−６４を生成する。最大値探索部２２は、相関値８１−１〜８１−６４の中から最大の相関値を選択して、最大相関値８５を出力すると共に、ピーク信号値８６を出力する。
【００８５】
出力選択部２４は相関値２７−１〜２７−Ｎをレイク合成部Ａ７２−１〜７２−Ｎに出力しないように第１スイッチ部２５−１〜２５−Ｎを切り換える一方、最大値探索部２２の出力をレイク合成部Ｂ７５−１〜７５−２に出力するよう第２スイッチ部２６−１〜２６−２を切り替える。この様にしてＣＣＫ信号のレイク合成復調処理を行う。
（効果の説明）  
以上説明したように、本実施形態においては、第１の実施形態と同様に、同一の構成でＷ−ＣＤＭＡと８０２．１１ｂの逆拡散が可能であり、両者に対応する受信装置を構成する場合に、回路の共有化が可能となる。
【００８６】
更に、上記効果に加えて、電波の反射などにより複数のパスを通った信号が受信されるマルチパス環境下において、受信信号からそれぞれのパスの信号成分を別々に取り出し、位相・時間をそろえて合成するレイク受信の構成をとることも可能となる。
【００８７】
つまり、本実施形態においては、異なる無線方式の復調するための受信装置において、逆拡散装置を共有化させることが可能となり、ハードウェア規模の増大を抑えつつ、復調時の誤り率特性を向上させるスペクトラム拡散通信受信器を提供することができる。
（第３の実施形態）
次に、本発明を実施するための第３の実施形態について説明する。
【００８８】
図９に第３の実施形態のスペクトラム拡散通信の逆拡散装置の構成を示す。
【００８９】
第３の実施形態のスペクトラム拡散通信の逆拡散装置９００は、２以上の異なる符号方式の拡散符号のいずれかを出力可能な符号発生手段９０１と、前記符号発生手段から出力される拡散符号と受信信号との相関値を生成する相関手段９０２と、を有している。更にスペクトラム拡散通信の逆拡散装置９００は、前記符号発生手段９０１と前記相関手段９０２を含み前記相関値を出力する逆拡散手段９１０を有している。
【００９０】
以上説明したように、本実施形態においては、以下に記載するような効果を奏する。
【００９１】
即ち上記のような構成をとることにより、本実施形態では、異なる無線方式を利用する通信装置において、異なる無線方式の復調処理を同一の回路で実現し、回路の共有化を可能とするスペクトラム拡散通信の逆拡散装置を提供することができる。
【符号の説明】
【００９２】
１０    受信装置
１１    受信用アンテナ
１２    無線受信部
１３    逆拡散部
１４    復調部
２０    複数符号発生器
２１    相関部
２２    最大値探索部
２３    位相制御部
２４    出力選択部
２５    第１スイッチ部
２６    第２スイッチ部
２７    相関値
３０    拡散符号発生器
３１    符号選択部
６０    受信装置
６３    レイク受信部
７１    逆拡散部
７２    レイク合成部Ａ
７３    チャネル推定部
７４    乗算器
７５    レイク合成部Ｂ
１１０    逆拡散部
１１１    符号発生部
１１２    相関部
１１３    相関値
１２０    ＦＷＴ演算部
１２１    シリアル／パラレル（Ｓ／Ｐ）変換部
１２２    ＢＦＷＢ
１２３    最大値探索部
【図１】
2013005387.tif 000009
【図２】
2013005387.tif 000010
【図３】
2013005387.tif 000011
【図４】
2013005387.tif 000012
【図５】
2013005387.tif 000013
【図６】
2013005387.tif 000014
【図７】
2013005387.tif 000015
【図８】
2013005387.tif 000016
【図９】
2013005387.tif 000017